(57)【要約】  検査時において、被検査対象の撮像素子１１を設置部２ａに設置した後、光学条件が異なる複数種の光学レンズ５ａ・・・を選択的に設置部２ｂに設置し、この状態において光源条件が異なる複数種の照明光を検査光源４から照射し、得られた撮像信号に基づいて黒点特性値算出部３１において当該撮像素子１１固有の黒点特性値を算出し、固有の黒点特性値情報を記憶部６１に記憶し、さらに記憶部６１から当該撮像素子１１を搭載する内視鏡１０２のＩＤメモリ１２に当該情報を転送する。使用時には、ビデオプロセッサ１０３における識別情報取得部１３１ａ、黒点特性値情報取得部１３１ｂがＩＤメモリ１２から識別情報、黒点特性値情報を取得し、黒点特性補正部１３２ａが撮像素子１１の黒点特性を補正する。
2017183392.tif 000002
【特許請求の範囲】
【請求項１】
複数の光源条件のうち選択されたいずれかの光源条件に基づく照明光を照射可能な検査光源と、
前記検査光源から照射された前記照射光を入光する、光学条件が異なる複数種の光学レンズを選択的に設置可能とする光学レンズ設置部と、
前記光学レンズ設置部に設置された前記光学レンズに入光された、前記検査光源から照射された前記照射光を受光する被検査対象の撮像素子を設置する撮像素子設置部と、
前記検査光源に係る前記複数の光源条件のうちいずれかの光源条件を選択的に切り換えるよう制御する検査光源制御部と、
前記撮像素子設置部に設置された前記撮像素子を制御する撮像素子制御部と、
前記光学レンズ設置部に設置された前記光学レンズ部に係る前記複数の光学条件を選択的に制御する光学レンズ制御部と、
前記撮像素子設置部に設置された前記撮像素子からの撮像信号を受信する撮像信号受信部と、
前記撮像信号受信部において受信した、前記撮像素子設置部に設置された前記撮像素子に係る撮像信号に基づいて当該撮像素子に係る黒点特性値を算出する黒点特性値算出部と、
前記黒点特性値算出部において算出した前記黒点特性値に係る黒点特性値情報を記憶する記憶部と、
を具備することを特徴とする検査システム。
【請求項２】
前記黒点特性値算出部は、前記複数の光源条件と、前記複数の光学条件との少なくとも一方の条件を変えて設定された条件下において前記撮像素子に係る黒点特性値を算出する
ことを特徴とする請求項１に記載の検査システム。
【請求項３】
前記記憶部は、前記複数の光源条件と、前記複数の光学条件との少なくとも一方の条件を変えて設定された条件下において前記黒点特性値算出部により算出された前記黒点特性値に係る黒点特性値情報を、前記条件と前記黒点特性値とを対応付けたテーブル情報として記憶する
ことを特徴とする請求項１に記載の検査システム。
【請求項４】
前記複数の光源条件は、互いに波長特性の異なる複数種の分光のいずれかを含む
ことを特徴とする請求項１に記載の検査システム。
【請求項５】
前記複数の光源条件は、面順次方式に対応した波長特性の異なるＲ分光、Ｇ分光またはＢ分光のいずれかを含む
ことを特徴とする請求項４に記載の検査システム。
【請求項６】
前記複数の光源条件は、特殊観察光に係る波長特性を有する光を含む
ことを特徴とする請求項１に記載の検査システム。
【請求項７】
前記複数の光学条件は、絞り値の異なる光学レンズ系を含む
ことを特徴とする請求項１に記載の検査システム。
【請求項８】
前記複数の光学条件は、斜入射角の異なる光学レンズ系を含む
ことを特徴とする請求項１に記載の検査システム。
【請求項９】
請求項１に記載の検査システムにおいて被検査対象となった撮像素子を搭載した内視鏡と、
前記内視鏡を接続可能とする画像処理装置と、
前記画像処理装置に設けられ、接続された前記内視鏡における前記撮像素子に係る第１の識別情報並びに前記内視鏡における光源特性および光学特性に係る第２の識別情報を取得する識別情報取得部と、
前記画像処理装置に設けられ、前記検査システムにおける前記記憶部に記憶された前記黒点特性値情報のうち、前記識別情報取得部において取得された前記第１の識別情報と前記第２の識別情報との少なくとも一方の識別情報に対応する個別黒点特性値情報を取得する黒点特性値情報取得部と、
前記画像処理装置に設けられ、前記黒点特性値情報取得部により取得した前記個別黒点特性値情報を用いて、前記検査システムにおいて被検査対象となった前記撮像素子の黒点特性を補正する黒点特性補正部と、
を具備することを特徴とする内視鏡システム。
【請求項１０】
前記内視鏡は、当該内視鏡個別の識別情報を記憶するＩＤメモリであって、少なくとも前記第１の識別情報および前記第２の識別情報を記憶可能なＩＤメモリを有する
ことを特徴とする請求項９に記載の内視鏡システム。
【請求項１１】
前記識別情報取得部は、前記画像処理装置に前記内視鏡が接続された際、当該内視鏡における前記ＩＤメモリに記憶された前記第１の識別情報および前記第２の識別情報を取得する
ことを特徴とする請求項１０に記載の内視鏡システム。
【請求項１２】
前記ＩＤメモリは、さらに、前記検査システムにおける前記記憶部に記憶された前記黒点特性値情報のうち、当該内視鏡に搭載する個別の撮像素子に対応付けられる前記個別黒点特性値情報を記憶可能とする
ことを特徴とする請求項１０に記載の内視鏡システム。
【請求項１３】
前記識別情報取得部は、前記画像処理装置に前記内視鏡が接続された際、当該内視鏡における前記ＩＤメモリに記憶された前記第１の識別情報および前記第２の識別情報を取得し、
前記黒点特性値情報取得部は、前記第１の識別情報および前記第２の識別情報に応じて、前記ＩＤメモリに記憶された前記個別黒点特性値情報を取得し、
前記黒点特性補正部は、取得した前記個別黒点特性値情報を用いて当該内視鏡に搭載する前記個別撮像素子の黒点特性を補正する
ことを特徴とする請求項１２に記載の内視鏡システム。
【請求項１４】
前記黒点特性補正部は、前記画像処理装置に前記内視鏡が接続された際、当該画像処理装置における光源制御信号に基づいて当該内視鏡から出力された撮像信号が、いずれの波長特性を有する照明光の照射によって得られたものであるか否かを判別し、当該判別結果に応じて撮像フレーム毎に、前記黒点特性値情報取得部により取得した前記個別黒点特性値情報を用いて、前記検査システムにおいて被検査対象となった前記撮像素子の黒点特性を補正する
ことを特徴とする請求項９に記載の内視鏡システム。
【請求項１５】
前記黒点特性値情報取得部は、前記光源条件または前記光学条件に対応した黒点特性値情報が前記記憶部に記憶されていない場合には、当該記憶部に記憶された、前記光源条件または前記光学条件に近似した黒点特性値を２つ以上取得し、
前記黒点特性補正部は、前記黒点特性値情報取得部で取得した前記２つ以上の近似された黒点特性値情報から所定の黒点特性値を推定し、当該推定した黒点特性値を用いて、前記検査システムにおいて被検査対象となった前記撮像素子の黒点特性を補正する
ことを特徴とする請求項９に記載の内視鏡システム。
【発明の詳細な説明】
【技術分野】
【０００１】
本発明は、検査システムおよび内視鏡システムに関し、特に、黒点特性値を検査する検査システムおよび内視鏡システムに関する。
【背景技術】
【０００２】
被検体の内部の被写体を撮像する内視鏡、及び、内視鏡により撮像された被写体の観察画像を生成する画像処理装置等を具備する内視鏡システムが、医療分野及び工業分野等において広く用いられている。【０００３】
上述の如き内視鏡システムにおける内視鏡においては、被写体を撮像するための固体撮像素子として、例えば、ＣＣＤイメージセンサ、ＣＭＯＳイメージセンサ等の撮像素子を採用することが多い。【０００４】
ところで、これら撮像素子においては、その構造上、さまざまな原因により、いわゆる黒点欠陥等の画素欠陥が発生することが知られている。この撮像素子の黒点欠陥については、従来、撮像素子の製造時における検査、または自動検出による補正が行わることが一般的である（日本国特開２０１２−０６５０６９号公報）。【０００５】
しかしながら、上述した自動検出による補正では誤補正が起こる虞がある。一方、撮像素子自体の製造時における検査においては、製造工程において黒点の特性を把握して補正を行う場合は精度よく補正することができる。【０００６】
ところが、撮像素子における上記黒点は光学的な条件でその特性を変えるため、当該撮像素子が搭載される実際の製品（すなわち、内視鏡等の製品）に係る諸条件下において検査を行う必要がある。【０００７】
しかしながら、この種の撮像素子は、複数種類の製品（複数種類の内視鏡等）に搭載することが予定されることが多いが、撮像素子自体の製造時（すなわち検査時）においては、搭載される最終製品については未定である場合も多いことから、撮像素子自体の製造時における検査のみでは十分な補正精度が得られない虞があった。【０００８】
本発明は上述した事情に鑑みてなされたものであり、撮像素子自体の製造時における検査のみの情報で、当該撮像素子が製品に搭載され使用する際における黒点特性補正を精度よく行い得るための検査システムおよび内視鏡システムを提供することを目的とする。
【発明の開示】
【課題を解決するための手段】
【０００９】
本発明の一態様の検査システムは、複数の光源条件のうち選択されたいずれかの光源条件に基づく照明光を照射可能な検査光源と、前記検査光源から照射された前記照射光を入光する、光学条件が異なる複数種の光学レンズを選択的に設置可能とする光学レンズ設置部と、前記光学レンズ設置部に設置された前記光学レンズに入光された、前記検査光源から照射された前記照射光を受光する被検査対象の撮像素子を設置する撮像素子設置部と、前記検査光源に係る前記複数の光源条件のうちいずれかの光源条件を選択的に切り換えるよう制御する検査光源制御部と、前記撮像素子設置部に設置された前記撮像素子を制御する撮像素子制御部と、前記光学レンズ設置部に設置された前記光学レンズ部に係る前記複数の光学条件を選択的に制御する光学レンズ制御部と、前記撮像素子設置部に設置された前記撮像素子からの撮像信号を受信する撮像信号受信部と、前記撮像信号受信部において受信した、前記撮像素子設置部に設置された前記撮像素子に係る撮像信号に基づいて当該撮像素子に係る黒点特性値を算出する黒点特性値算出部と、前記黒点特性値算出部において算出した前記黒点特性値に係る黒点特性値情報を記憶する記憶部と、具備する。【００１０】
本発明の一態様の内視鏡システムは、前記検査システムにおいて被検査対象となった撮像素子を搭載した内視鏡と、前記内視鏡を接続可能とする画像処理装置と、前記画像処理装置に設けられ、接続された前記内視鏡における前記撮像素子に係る第１の識別情報並びに前記内視鏡における光源特性および光学特性に係る第２の識別情報を取得する識別情報取得部と、前記画像処理装置に設けられ、前記検査システムにおける前記記憶部に記憶された前記黒点特性値情報のうち、前記識別情報取得部において取得された前記第１の識別情報と前記第２の識別情報との少なくとも一方の識別情報に対応する個別黒点特性値情報を取得する黒点特性値情報取得部と、前記画像処理装置に設けられ、前記黒点特性値情報取得部により取得した前記個別黒点特性値情報を用いて、前記検査システムにおいて被検査対象となった前記撮像素子の黒点特性を補正する黒点特性補正部と、を具備する。
【図面の簡単な説明】
【００１１】
【図１】図１は、本発明の第１の実施形態の検査システムにおける電気的な主要構成を示すブロック図である。
【図２】図２は、第１の実施形態の検査システムにおいて、撮像素子および光学レンズを設置した状態における主要構成を示す図である。
【図３】図３は、第１の実施形態の検査システムにおける、被検査対象の撮像素子の黒点特性値算出工程を示したフローチャートである。
【図４】図４は、第１の実施形態の検査システムにおいて、撮像素子の黒点特性算出時における黒点特性算出の仕方の一例を示した図である。
【図５】図５は、第１の実施形態の検査システムにおける、面順次方式対応撮像素子の黒点特性値算出に係るパラメータの一例を示した図である。
【図６】図６は、第１の実施形態の検査システムにおいて記憶した黒点特性値情報を、被検査対象である撮像素子を搭載した内視鏡に転送する様子を示したブロック図である。
【図７】図７は、第１の実施形態の検査システムの被検査対象である撮像素子を搭載する内視鏡を使用する際の内視鏡システムの主要構成を示したブロック図である。
【図８】図８は、第１の実施形態の検査システムの被検査対象である撮像素子を搭載する内視鏡を使用する際の第１の内視鏡システムにおける黒点特性補正工程を示したフローチャートである。
【図９】図９は、本発明の第２の実施形態の検査システムにおいて記憶した識別情報および黒点特性値情報を、被検査対象である撮像素子を搭載した内視鏡およびサーバに転送する様子を示したブロック図である。
【図１０】図１０は、第２の実施形態の検査システムの被検査対象である撮像素子を搭載する内視鏡を使用する際の第２の内視鏡システムの主要構成を示したブロック図である。
【図１１】図１１は、特殊光方式対応撮像素子の黒点特性値算出に係るパラメータの一例を示した図である。
【図１２】図１２は、ベイヤー方式の撮像素子の黒点特性値算出に係るパラメータの一例を示した図である。
【発明を実施するための最良の形態】
【００１２】
以下、図面を参照して本発明の実施形態を説明する。【００１３】
（第１の実施形態）
まず、本発明の第１の実施形態の検査システムについて説明する。この検査システムを説明した後に、当該検査システムによって算出された情報を用いて黒点特性補正を行う内視鏡システムについて説明する。【００１４】
＜検査システムについて＞
図１は、本発明の第１の実施形態の検査システムにおける電気的な主要構成を示すブロック図であり、図２は、当該第１の実施形態の検査システムにおいて、撮像素子および光学レンズを設置した状態における主要構成を示す図である。【００１５】
図１、図２に示すように、第１の実施形態の検査システム１は、被検査対象の撮像素子１１の黒点特性を検査する検査装置２（図２参照）と、検査装置２に接続され当該検査装置２からの出力信号から被検査対象の撮像素子１１に係る黒点特性値を算出するための検査画像処理装置３と、検査画像処理装置３において算出された前記黒点特性値に係る情報を記憶するための記憶装置６と、により主要部が構成されている。【００１６】
また、上述した検査装置２は、被検査対象の撮像素子１１を設置可能とする撮像素子設置部２ａと、複数種の光学レンズ５ａ等（図２参照）を選択的に設置可能な光学レンズ設置部２ｂと、複数種の照明光を照射可能な検査光源４と、検査光源４を制御する検査光源制御部２２と、撮像素子設置部２ａに設置された撮像素子１１を制御する撮像素子制御部２３と、前記撮像素子１１からの撮像信号を受信する撮像信号受信部２４と、光学レンズ設置部２ｂに設置される光学レンズ５ａ等を制御する光学レンズ制御部２５と、これら各制御部等の制御を司る制御部２１と、により主要部が構成されている。【００１７】
上述した検査装置２における検査光源４は、検査光源制御部２２に制御され、所定の照明光を光学レンズ設置部２ｂに設置された光学レンズ５ａ（図２参照）等に向けて照射可能となっている。【００１８】
すなわち、前記検査光源４は、光源条件が異なる複数種の照明光のうちのいずれかの照明光を照射可能となっている。【００１９】
ここで、前記光源条件としては、互いに波長の異なる複数種の分光のいずれかを含み、本第１の実施形態においては、いわゆる面順次観察方式に対応する互いに波長の異なるＲ分光、Ｇ分光、Ｂ分光の照明光を想定する。【００２０】
光学レンズ設置部２ｂは、光学レンズ制御部２５に制御され、光学条件が異なる複数種の光学レンズ、例えば、光学レンズ５ａ、５ｂ、５ｃ・・・（図２参照）を選択的に設置可能となっている。【００２１】
ここで、前記光学条件とは、本第１の実施形態においては、絞り値の異なる複数のレンズ、または、斜入射角の異なる複数のレンズを想定する。【００２２】
撮像素子設置部２ａは、被検査対象である撮像素子１１を設置可能となっており（図２参照）、撮像素子１１が設置された際は、撮像素子１１を後述する撮像素子制御部２３および撮像信号受信部２４に接続するようになっている。【００２３】
検査光源制御部２２は、制御部２１の制御下に、本第１の実施形態においては、前記検査光源４に係る上述した複数の光源条件を制御する制御部である。具体的に検査光源制御部２２は、面順次観察方式に対応するＲ分光、Ｇ分光、Ｂ分光の照明光の切り換え制御を行う。【００２４】
撮像素子制御部２３は、制御部２１の制御下に、撮像素子１１の駆動制御を行う制御部である。具体的に撮像素子制御部２３は、前記撮像素子設置部２ａに被検査対象である撮像素子１１が設置され、前記検査光源４から所定の照明光が光学レンズ５ａ等を介して照射された際、当該撮像素子１１の駆動制御を行う。【００２５】
撮像信号受信部２４は、制御部２１の制御下に、前記撮像素子設置部２ａに撮像素子１１が設置され、前記検査光源４から所定の照明光が光学レンズ５ａ等を介して照射された際、当該撮像素子１１からの撮像信号を受信する機能を果たす共に、当該撮像信号を後段に出力する。【００２６】
光学レンズ制御部２５は、制御部２１の制御下に、光学条件が異なる複数種の光学レンズ、例えば、光学レンズ５ａ、５ｂ、５ｃ・・・（図２参照）が、光学レンズ設置部２ｂに選択的に設置されるよう制御する。【００２７】
ここで前記光学レンズ５ａ、５ｂ、５ｃ・・・等は、絞り値（Ｆｎｏ：ａ，ｂ，ｃ・・・）の異なる複数のレンズ、または、斜入射角（ａ，ｂ，ｃ・・・）の異なる複数のレンズを想定する。【００２８】
さらに光学レンズ制御部２５は、光学レンズ設置部２ｂに設置された光学レンズ５ａ等の位置を調整する。なお、設置された光学レンズ５ａ等の位置調整は手動で行われるものであってもよい。【００２９】
なお、検査装置２は、制御部２１の制御下に、検査光源制御部２２、撮像素子制御部２３、撮像信号受信部２４等に係る各信号を処理する信号処理部２６と、検査装置２に係る各種入出力信号を制御する入出力制御部２７と、撮像信号受信部２４から出力される、撮像素子１１に係る撮像信号を検査画像処理装置３に向けて出力する画像出力部２８と、をさらに備える。【００３０】
一方、上述した検査画像処理装置３は、被検査対象の撮像素子１１に係る黒点特性値を算出する黒点特性値算出部３１を有する。【００３１】
前記黒点特性値算出部３１は、検査装置２から出力された、前記撮像素子１１に係る撮像信号から黒点特性値を算出する。このとき、当該撮像素子１１に係る撮像信号は、前記複数の光源条件と、前記複数の光学条件との少なくとも一方の条件を変えて設定された条件下における撮像信号である。【００３２】
また、記憶装置６は、黒点特性値算出部３１において算出された前記黒点特性値に係る情報等を記憶する記憶部６１を有する。【００３３】
前記記憶部６１は、前記黒点特性値算出部３１により算出された黒点特性値情報を、前記各条件と前記黒点特性値とを対応付けたテーブル情報として記憶するようになっている。このとき、前記黒点特性値情報は、前記複数の光源条件と、前記複数の光学条件との少なくとも一方の条件を変えて設定された条件下における撮像信号に基づく情報である。【００３４】
すなわち、本実施形態において前記記憶部６１は、前記各条件と前記黒点特性値とを対応付けたテーブル情報を記憶するが、この情報は、被検査対象である当該個別の撮像素子１１に対応した情報であり、換言すれば、当該個別の撮像素子１１に紐づけれた前記各条件と前記黒点特性値とを対応付けたテーブル情報を記憶する。【００３５】
＜第１の実施形態における検査システム１の作用＞
このような構成をなす本第１の実施形態の検査システム１における黒点特性値算出工程について説明する。【００３６】
図３は、第１の実施形態の検査システムにおける、被検査対象の撮像素子の黒点特性値算出工程を示したフローチャートであり、図４は、第１の実施形態の検査システムにおいて、撮像素子の黒点特性算出時における黒点特性算出の仕方の一例を示した図である。また、図５は、第１の実施形態の検査システムにおける、面順次方式対応撮像素子の黒点特性値算出に係るパラメータの一例を示した図である。【００３７】
図３に示すように、まず、検査装置２における撮像素子設置部２ａに被検査対象である撮像素子１１が設置される（ステップＳ１１）。【００３８】
次いで、光学レンズ制御部２５は、光学条件が異なる複数種の光学レンズ５ａ、５ｂ、５ｃ・・・を光学レンズ設置部２ｂに選択的に設置する（ステップＳ１２）。具体的に光学レンズ制御部２５は、光学レンズ設置部２ｂに第１の光学条件を有する光学レンズ（ここでは、第１の絞り値（Ｆｎｏ：ａ）を有する光学レンズ５ａとする）を設置する。【００３９】
さらに光学レンズ制御部２５は、制御部２１の制御下に、光学レンズ設置部２ｂに設置された光学レンズ５ａの位置を所定位置に調整する（ステップＳ１３）。【００４０】
次に、制御部２１の制御下に検査光源制御部２２は、検査光源４からの照射する照明光を第１の光源条件（ここでは、面順次観察方式に対応した各色のうちＲ分光とする）に設定するよう光源色を変更する（ステップＳ１４）。【００４１】
この後、検査光源４に係る第１の光源条件（Ｒ分光）、および、光学レンズ５ａに係る第１の光学条件（第１の絞り値（Ｆｎｏ：ａ））が適切に設定された状態において、撮像素子制御部２３は、制御部２１の制御下に撮像素子１１を駆動し、撮像信号受信部２４は、当該撮像素子１１からの撮像信号を取得する（ステップＳ１５）。【００４２】
なお、本実施形態においては、制御部２１の制御下に、検査光源制御部２２、撮像素子制御部２３、撮像信号受信部２４が、上述したステップＳ１４、Ｓ１５を繰り返す。【００４３】
すなわち、制御部２１の制御下に検査光源制御部２２は、検査光源４からの照射する照明光を第２の光源条件（Ｇ分光）に設定するよう光源色を変更し（ステップＳ１４）、撮像素子制御部２３は、制御部２１の制御下に撮像素子１１を駆動し、撮像信号受信部２４は、当該撮像素子１１からの撮像信号を取得する（ステップＳ１５）。ここで、撮像信号受信部２４は、第２の光源条件（Ｇ分光）、および、第１の光学条件（第１の絞り値（Ｆｎｏ：ａ））に設定された状態における撮像信号を取得することになる。【００４４】
検査光源制御部２２、撮像素子制御部２３、撮像信号受信部２４は、さらに、制御部２１の制御下に、第３の光源条件（Ｂ分光）、および、第１の光学条件（第１の絞り値（Ｆｎｏ：ａ））に設定された状態における撮像信号を取得する（ステップＳ１４，Ｓ１５の繰り返し）。【００４５】
上述したように、このステップＳ１４とステップＳ１５とを、面順次観察方式に対応する各色に関して繰り返し、全色に係る撮像信号の取得が完了すると（ステップＳ１６）、ステップＳ１７に移行する。【００４６】
換言すると、第１の光学条件（第１の絞り値（Ｆｎｏ：ａ））に対応する全ての光源条件（Ｒ分光、Ｇ分光、Ｂ分光）に係る撮像信号の取得が完了すると（ステップＳ１６）、制御部２１は光学レンズ制御部２５を制御し、変更された光学条件に応じて（例えば、光学レンズを第２の絞り値（Ｆｎｏ：ｂ）の光学レンズ５ｂに変更）、この変更された第２の光学条件に対応する全ての光源条件（Ｒ分光、Ｇ分光、Ｂ分光）に係る撮像信号の取得を実行する（ステップＳ１２〜ステップＳ１６の繰り返し）。【００４７】
本実施形態においては、光学条件として、別のパラメータによる光学条件を想定する。すなわち、本実施形態においては、別の光学条件として、例えば、斜入射角の異なるレンズ（具体的には、第１の斜入射角ａ、第２の斜入射角ｂ・・等）を想定する。【００４８】
ステップＳ１７において、全ての光学条件（例えば、複数の絞り値、複数の斜入射角）と全ての光源条件とに係る、すべての条件の組み合わせ（マトリックス状；図５参照）に係る撮像信号が取得されると、これらすべての撮像信号は、撮像信号受信部２４から出力され、信号処理部２６および画像出力部２８を介して検査画像処理装置３における黒点特性値算出部３１に入力される。【００４９】
この後、黒点特性値算出部３１は、検査装置２側から出力された撮像信号（全ての光学条件と全ての光源条件とに係る、すべての条件の組み合わせ（マトリックス状）に係る撮像信号）を入力すると、当該撮像信号に係る全ての画像から黒点特性値を算出する（ステップＳ１８）。【００５０】
ここで、黒点特性値算出部３１は、例えば、撮像信号に係る１フレームの画素全体において、画素出力が周囲画素から一定値以上異なる画素の検出を試み、検出された画素があった場合、当該画素は黒点であるとして当該画素の出力を黒点特性値として算出する。【００５１】
そして、黒点特性値算出部３１において、所定の画素が黒点であると検出され当該黒点に係る黒点特性値が算出されると、当該黒点特性値に係る情報は記憶装置６における記憶部６１に伝達され、当該情報が撮像素子１１に紐づけられて記憶部６１に記憶される（ステップＳ１９）。【００５２】
図５は、第１の実施形態の検査システムにおける、面順次方式対応撮像素子の黒点特性値算出に係るパラメータの一例を示した図である。【００５３】
図５に示すように、本実施形態においては、複数の光学条件（例えば、複数の絞り値（Ｆｎｏ）、複数の斜入射角）と全ての光源条件（Ｒ分光、Ｇ分光、Ｂ分光）とに係る、すべての条件の組み合わせに係る黒点特性値を、撮像素子１１に紐づけて記憶部６１に記憶するようになっている。【００５４】
ところで、本実施形態においては、上述したように複数の光学条件、および、複数の光源条件の組み合わせにおいて撮像信号を取得するが、黒点特性値算出部３１は、このすべての組み合わせ条件に係る画素出力検出を実行する。【００５５】
そして、本実施形態においては、いずれか一つの光学条件または光源条件において、周囲画素から一定値以上異なる画素を検出すると、その検出された画素（すなわち、黒点）について、全ての条件における特性値を記憶部６１に記憶するようになっている。【００５６】
また、この画素の検出条件は、必ずしも所定の閾値を超えた画素のみを抽出することを要しない。例えば、本実施形態においては、図４に示すように、画素Ｂが黒点特性の検出閾値を超える一方で、画素Ａは検出閾値を超えるものでない場合も、画素Ａ、画素Ｂ共に特性値を取得し、記憶するものとする。【００５７】
＜黒点特性値情報の転送＞
図６は、第１の実施形態の検査システムにおいて記憶した黒点特性値情報を、被検査対象である撮像素子を搭載した内視鏡に転送する様子を示したブロック図である。【００５８】
詳しくは後述するが、本実施形態の検査システム１により検査された撮像素子１１は、所定の内視鏡（例えば、後述する内視鏡１０２）に搭載されることとなる。【００５９】
そして図６に示すように、本第１の実施形態の検査システム１では、例えば、前記撮像素子１１が搭載された内視鏡１０２の製造時等において、検査システム１における記憶部６１から所定の情報を内視鏡１０２におけるＩＤメモリ１２（ＩＤメモリ１２については後に詳述する）に転送するようになっている。【００６０】
具体的には、図６に示すように、例えば、前記記憶部６１に記憶されたテーブル情報（すなわち、前記複数の光源条件および前記複数の光学条件に係る各条件と黒点特性値とを対応付けたテーブル情報）のうち、当該被検査対象である撮像素子１１を搭載した内視鏡１０２に対応した個別黒点特性値情報を、前記ＩＤメモリ１２に転送するようになっている。【００６１】
ここで、本第１の実施形態の検査システム１では、前記テーブル情報を記憶部６１からＩＤメモリ１２へ転送する際に、当該撮像素子１１が搭載される内視鏡１０２に係る光源特性（例えば、観察方式の種別であってもよい）および光学特性等の情報を取得することで、当該内視鏡１０２固有の光源条件および光学条件に係る黒点特性値情報をＩＤメモリ１２に転送するようになっている。【００６２】
なお、本第１の実施形態においては、前記テーブル情報を記憶部６１からＩＤメモリ１２へ転送する際、転送先の内視鏡１０２に係る固有の黒点特性値情報のみをＩＤメモリ１２に転送するものとしたが、これに限らない。【００６３】
すなわち、例えば、内視鏡１０２に搭載される撮像素子１１に紐づけられたすべての黒点特性値情報、換言すれば、撮像素子１１に関して、前記複数の光学条件および複数の光源情報すべての組み合わせ条件により算出された黒点特性値情報を、当該撮像素子１１に紐づけれた情報としてＩＤメモリ１２に転送してもよい。【００６４】
この場合、内視鏡１０２に接続された画像処理装置（ビデオプロセッサ１０３；後に詳述する）等において、当該内視鏡１０２に係る光源特性（上述のように、観察方式の種別であってもよい）および光学特性等の情報を取得することで、当該内視鏡１０２固有の光源条件および光学条件に係る黒点特性値情報を抽出することとなる。【００６５】
＜内視鏡システムについて＞
次に、上述した検査システム１によって算出された情報を用いて黒点特性補正を行う内視鏡システム１０１について説明する。【００６６】
図７は、第１の実施形態の検査システムの被検査対象である撮像素子を搭載する内視鏡を使用する際の内視鏡システムの主要構成を示したブロック図であり、図８は、第１の実施形態の検査システムの被検査対象である撮像素子を搭載する内視鏡を使用する際の第１の内視鏡システムにおける黒点特性補正工程を示したフローチャートである。【００６７】
当該内視鏡システム１０１は、被検体を観察し撮像する内視鏡１０２と、当該内視鏡１０２に接続され前記撮像信号を入力し所定の画像処理を施す画像処理装置であるビデオプロセッサ１０３と、被検体を照明するための照明光を供給する光源装置１０４と、撮像信号に応じた観察画像を表示するモニタ装置１０５と、を有している。【００６８】
ここで内視鏡１０２は、上述した検査システム１の被検査対象である撮像素子１１を搭載するものであるとする。【００６９】
係る内視鏡１０２は、図７に示すように、光源装置１０４から延設されたライトガイド（図示せず）の先端に形成された照明部１４と、当該照明部１４から照射された照明光による被写体の反射光を入光する光学系１３と、光学系１３における結像面に配設された前記撮像素子１１と、当該内視鏡１０２に係る固有の識別情報等を記憶可能なＩＤメモリ１２と、を有する。【００７０】
なお、本実施形態においては、前記光学系１３は、前記照明部１４により被検体に対して照射された所定の照明光（面順次光）に応じた当該被写体に係る反射光を入光するようになっている。【００７１】
前記撮像素子１１は、本実施形態においてはＣＭＯＳイメージセンサにより構成され、その受光部は、入射光に応じて光を光電変換して信号電荷を生成する複数の光電変換部であるフォトダイオードを有し、当該光電変換部において生成した信号電荷に基づいて撮像信号を生成し出力するための複数の画素を備える。【００７２】
また、撮像素子１１の後段には、撮像信号に対して所定の処理を行う公知の回路であって、公知のＣＤＳ（Correlation Double Sampling）回路およびアナログ／デジタル変換器（ＡＤＣ）等を備え当該撮像信号をデジタル撮像信号として出力するＡＦＥ（アナログフロントエンド）、および、フォトダイオードおよびＡＦＥに対して所定のタイミングを与えるタイミングジェネレータ（ＴＧ）等を備えるが、ここでの詳しい説明は省略する。【００７３】
そして撮像素子１１は、被写体からの光学像が撮像面に結像されると、各画素に入射した光を光電変換部において光電変換して所定の撮像信号を出力するようになっている。【００７４】
内視鏡１０２における前記ＩＤメモリ１２は、例えば不揮発性のメモリで構成され、当該内視鏡１０２固有の識別情報、例えば、光学系１３に係る光学特性情報、照明部１４から照射する照明光に係る光源特性情報、および、撮像素子１１自体の個別情報等が記憶されるようになっている。【００７５】
また、本第１の実施形態の検査システム１に対応する当該内視鏡システム１０１における内視鏡１０２においては、ＩＤメモリ１２には、前記識別情報と共に上述した当該撮像素子１１に紐づけられた前記テーブル情報であって、当該内視鏡１０２固有の個別黒点特性値情報が記憶されるようになっている。【００７６】
すなわち、前記撮像素子１１が搭載された内視鏡１０２の製造時等において、検査システム１における記憶部６１に記憶された、当該撮像素子１１に紐づけられた前記テーブル情報（すなわち、前記複数の光源条件および前記複数の光学条件に係る各条件と黒点特性値とを対応付けたテーブル情報）のうち、内視鏡１０２における光学特性および光源特性に対応した光源条件および光学条件に係る黒点特性値情報がＩＤメモリ１２に転送されるようになっている。【００７７】
また、図７に示すように、ビデオプロセッサ１０３は、当該ビデオプロセッサ１０３における諸回路を制御する制御部１３１を有する。【００７８】
制御部１３１は、前記内視鏡１０２の識別情報（例えば、光学系１３に係る光学特性情報、照明部１４から照射する照明光に係る光源特性情報、および、撮像素子１１自体の個別情報等）を取得する識別情報取得部１３１ａを有する。【００７９】
また、制御部１３１は、当該撮像素子１１に紐づけられた黒点特性値情報（すなわち、前記複数の光源条件および前記複数の光学条件に係る各条件と黒点特性値とを対応付けたテーブル情報）のうち、内視鏡１０２における光学特性および光源特性に対応した光源条件および光学条件に係る個別の黒点特性値情報を取得する黒点特性値情報取得部１３１ｂを有する。【００８０】
なお、上述したように、前記内視鏡１０２の「識別情報」および「個別黒点特性値情報」は、本実施形態においては、いずれも内視鏡１０２におけるＩＤメモリ１２に記憶されている。そして、ビデオプロセッサ１０３に前記内視鏡１０２が接続された際に、前記識別情報取得部１３１ａが前記「識別情報」を取得し、また、黒点特性値情報取得部１３１ｂが当該取得された前記「識別情報」に対応する前記「個別黒点特性値情報」を取得するようになっている。【００８１】
また、ビデオプロセッサ１０３は、内視鏡１０２からの撮像信号を入力し、所定の画像処理を施す画像処理部１３２を有する。【００８２】
前記画像処理部１３２は、前記黒点特性値情報取得部１３１ｂにより取得した前記個別黒点特性値情報を用いて、前記検査システム１において被検査対象となった前記撮像素子１１の黒点特性を補正する黒点特性補正部１３２ａを有する。【００８３】
また、光源装置１０４は、光源１４４と、光源ドライバ１４２と、回転フィルタ１４６と、駆動部１４５と、駆動ドライバ１４３と、光源制御部１４１と、を備える。【００８４】
光源１４４は、白色ＬＥＤ（Light  Emitting  Diode）またはキセノンランプ等を用いて構成され、光源制御部１４１の制御のもと、白色光を発生する。【００８５】
光源ドライバ１４２は、光源１４４に対して光源制御部１４１の制御のもとで電流を供給することにより、光源１４４に白色光を発生させる。光源１４４が発生した光は、回転フィルタ１４６および集光レンズ（図示せず）および前記ライトガイドを経由して内視鏡１０２の照明部１４から照射される。【００８６】
回転フィルタ１４６は、光源１４４が発した白色光の光路上に配置され、回転することにより光源１４４が発する白色光を所定の波長帯域を有する光のみを透過させる。具体的には、回転フィルタ１４６は、赤色光（Ｒ）、緑色光（Ｇ）および青色光（Ｂ）のそれぞれの波長帯域を有する光を透過させる赤色フィルタ１４６Ｒ、緑色フィルタ１４６Ｇおよび青色フィルタ１４６Ｂを有する。【００８７】
駆動部１４５は、ビデオプロセッサ１０３から送信される同期信号を基準として回転フィルタ１４６を回転動作させる。駆動ドライバ１４３は、光源制御部１４１の制御のもと、駆動部１４５に所定の電流を供給する。【００８８】
光源制御部１４１は、ビデオプロセッサ１０３における制御部１３１から送信された調光信号に従って光源１４４に供給する電流量を制御する。また、光源制御部１４１は、駆動ドライバ１４３を介して駆動部１４５を駆動することにより、回転フィルタ１４６を回転させる。【００８９】
なお、本実施形態においては、面順次方式に対応するため光源装置１０４は、上述の如き白色光の１つの光源１４４と回転フィルタ１４６等を用いて構成したが、これに限らず、ＲＧＢの各色に対応した複数のＬＥＤを用いることで、面順次方式に対応するものであってもよい。【００９０】
モニタ装置１０５は、映像ケーブルを介してビデオプロセッサ１０３が生成した体内画像をビデオプロセッサ１０３から受信して表示する機能を有する。【００９１】
＜第１の実施形態における内視鏡システム１０１の作用＞
このような構成をなす第１の内視鏡システム１０１における黒点特性補正工程について説明する。【００９２】
図８は、第１の実施形態の検査システムの被検査対象である撮像素子を搭載する内視鏡を使用する際の第１の内視鏡システムにおける黒点特性補正工程を示したフローチャートである。【００９３】
図８に示すように、ビデオプロセッサ１０３における識別情報取得部１３１ａは、内視鏡１０２が接続されると、当該内視鏡１０２内に配設されたＩＤメモリ１２から当該内視鏡１０２に係る前記「識別情報」を取得する（ステップＳ２１）。【００９４】
このとき、識別情報取得部１３１ａは、光学系１３に係る光学特性情報（レンズ特性情報）を取得する（ステップＳ２２）と共に、照明部１４から照射する照明光に係る光源特性情報（光原色情報）を取得する（ステップＳ２３）。また、識別情報取得部１３１ａは、さらに撮像素子１１自体の識別情報も取得する。【００９５】
次に、ビデオプロセッサ１０３における黒点特性値情報取得部１３１ｂは、当該撮像素子１１に紐づけられた黒点特性値情報（すなわち、前記複数の光源条件および前記複数の光学条件に係る各条件と黒点特性値とを対応付けたテーブル情報）のうち、内視鏡１０２における光学特性および光源特性に対応した光源条件および光学条件に係る個別の黒点特性値情報（補正用特性値情報）を取得し、黒点特性を算出する（ステップＳ２４）。【００９６】
この後、ビデオプロセッサ１０３の画像処理部１３２に、撮像素子１１からの撮像信号（画像信号）が入力すると（ステップＳ２５）、黒点特性補正部１３２ａは、黒点特性値情報取得部１３１ｂにおいて算出された黒点特性に基づいて、当該撮像信号をＲ分光、Ｇ分光、Ｂ分光それぞれに対応したフレーム毎に補正する（ステップＳ２６）。【００９７】
ここで、黒点特性補正部１３２ａにおける黒点補正方法としては、本実施形態においては、黒点特性値情報取得部１３１ｂにおいて算出した黒点の増減率の逆数を当該黒点画素出力に掛ける手法を採用する。【００９８】
また、本実施形態の検査システム１に係る第１の内視鏡システム１０１において黒点特性補正部１３２ａは、ビデオプロセッサ１０３に内視鏡１０２が接続された際、当該内視鏡１０２から出力された撮像信号に基づいて、当該撮像信号が、いずれの波長特性を有する照明光の照射によって得られたものであるか否かを判別する。【００９９】
具体的に黒点特性補正部１３２ａは、当該撮像信号が、Ｒ分光、Ｇ分光またはＢ分光のいずれの照明光（光源）によるものであるかを判別し、その判別結果に応じて撮像フレーム毎に、前記黒点特性値情報取得部１３１ｂにより取得した前記個別黒点特性値情報を用いて、当該撮像素子１１の黒点特性を補正するようになっている。【０１００】
以上説明したように、本第１の実施形態の検査システム１および内視鏡システム１０１によると、検査システム１における検査時において、被検査対象の撮像素子１１を設置部２ａに設置した後、光学条件が異なる複数種の光学レンズ５ａ、５ｂ、５ｃを選択的に設置部２ｂに設置し、この状態において光源条件が異なる複数種の照明光を検査光源４から照射し、撮像信号受信部２４で得られた撮像信号に基づいて黒点特性値算出部３１において当該撮像素子１１固有の黒点特性値を算出し、算出した固有の黒点特性値情報を記憶部６１に記憶し、さらに記憶部６１から当該撮像素子１１を搭載する内視鏡１０２のＩＤメモリ１２に当該情報を転送する。【０１０１】
また、内視鏡システム１０１における実際の使用時には、ビデオプロセッサ１０３における識別情報取得部１３１ａ、黒点特性値情報取得部１３１ｂがＩＤメモリ１２から識別情報、黒点特性値情報を取得し、黒点特性補正部１３２ａが撮像素子１１の黒点特性を補正するので、撮像素子自体の製造時における検査のみの情報で、当該撮像素子が製品に搭載され使用する際における黒点特性補正を精度よく行い得るための検査システムおよび内視鏡システムを提供することができる。【０１０２】
＜第１変形例＞
ところで、第１の実施形態の検査システム１では、前記テーブル情報を記憶部６１からＩＤメモリ１２へ転送する際に、当該撮像素子１１が搭載される内視鏡１０２に係る光源特性（例えば、観察方式の種別）および光学特性等の情報を取得することで、当該内視鏡１０２固有の光源条件および光学条件に係る黒点特性値情報をＩＤメモリ１２に転送することとした。【０１０３】
すなわち、本第１の実施形態においては、前記テーブル情報を記憶部６１からＩＤメモリ１２へ転送する際、転送先の内視鏡１０２に係る「個別の黒点特性値情報」のみをＩＤメモリ１２に転送するものとした。【０１０４】
これに対して本実施形態の第１変形例の検査システムおよび内視鏡システムは、撮像素子１１に紐づけられたすべての黒点特性値情報、換言すれば、撮像素子１１に関して、前記複数の光学条件および複数の光源情報すべての組み合わせ条件により算出された「すべての黒点特性値情報」を、当該撮像素子１１に紐づけれた情報としてＩＤメモリ１２に転送することを特徴とする。【０１０５】
そして当該第１変形例の内視鏡システム１０１は、内視鏡１０２に接続されたビデオプロセッサ１０３における識別情報取得部１３１ａにおいて、まず、当該内視鏡１０２内に配設されたＩＤメモリ１２から当該内視鏡１０２に係る前記「識別情報」を取得する。【０１０６】
このとき、識別情報取得部１３１ａは、第１の実施形態に係る内視鏡システム１０１と同様に、内視鏡１０２に係る識別情報、すなわち、光学系１３に係る光学特性情報（レンズ特性情報）を取得すると共に、照明部１４から照射する照明光に係る光源特性情報（光原色情報）を取得し、さらに、撮像素子１１自体の識別情報も取得する。【０１０７】
次に、第１変形例の内視鏡システム１０１は、ビデオプロセッサ１０３における黒点特性値情報取得部１３１ｂにおいて、前記識別情報取得部１３１ａにより取得した内視鏡１０２に係る各識別情報に基づいて、上述した「すべての黒点特性値情報」から当該内視鏡１０２に係る「個別の黒点特性値情報」を抽出し、黒点特性を算出する。【０１０８】
すなわち、第１変形例に係る黒点特性値情報取得部１３１ｂは、識別情報取得部１３１ａにおいて取得した前記識別情報に基づいて、ＩＤメモリ１２に記憶されている、当該撮像素子１１に紐づけられた「すべての黒点特性値情報」（すなわち、前記複数の光源条件および前記複数の光学条件に係る各条件と黒点特性値とを対応付けたすべてのテーブル情報）から、内視鏡１０２における光学特性および光源特性に対応した光源条件および光学条件に係る「個別の黒点特性値情報」を抽出し、黒点特性を算出する。【０１０９】
この後、ビデオプロセッサ１０３の画像処理部１３２に、撮像素子１１からの撮像信号（画像信号）が入力すると、第１の実施形態と同様に、黒点特性補正部１３２ａは、黒点特性値情報取得部１３１ｂにおいて算出された黒点特性に基づいて、当該撮像信号をＲ分光、Ｇ分光、Ｂ分光それぞれに対応したフレーム毎に補正する。【０１１０】
以上説明したように、本第１変形例によっても第１の実施形態と同様に、撮像素子自体の製造時における検査のみの情報で、当該撮像素子が製品に搭載され使用する際における黒点特性補正を精度よく行い得るための検査システムおよび内視鏡システムを提供することができる。【０１１１】
＜第２変形例＞
ところで、上述した第１の実施形態の検査システム１および第１の内視鏡システム１０１においては、内視鏡１０２におけるＩＤメモリ１２に、当該内視鏡１０２における光学特性および光源特性に対応した光源条件および光学条件に係る「個別の黒点特性値情報」が記憶されていることを前提とした。【０１１２】
すなわち、検査システム１における記憶部６１には、撮像素子１１に紐づけられたすべての黒点特性値情報、換言すれば、撮像素子１１に関して、前記複数の光学条件および複数の光源情報すべての組み合わせ条件により算出された黒点特性値情報が記憶される一方で、内視鏡１０２におけるＩＤメモリ１２には、当該内視鏡１０２における光学特性および光源特性に対応した光源条件および光学条件に係る「個別の黒点特性値情報」が転送されている。【０１１３】
一方、上述した第１変形例に係る検査システムにおいては、内視鏡１０２におけるＩＤメモリ１２には、上述したように、内視鏡１０２に搭載される撮像素子１１に紐づけられたすべての黒点特性値情報、換言すれば、撮像素子１１に関して、前記複数の光学条件および複数の光源情報すべての組み合わせ条件により算出された「すべての黒点特性値情報」が転送されている。【０１１４】
そして、第１変形例に係る内視鏡システムにおいては、黒点特性値情報取得部１３１ｂにおいて、識別情報取得部１３１ａにおいて取得した前記識別情報に基づいて、ＩＤメモリ１２に記憶されている「すべての黒点特性値情報」（撮像素子１１に紐づけられたすべてのテーブル情報）から、当該内視鏡１０２における光学特性および光源特性に対応した光源条件および光学条件に係る「個別の黒点特性値情報」を抽出する。【０１１５】
このように、第１の実施形態の検査システムおよび内視鏡システム、並びに、第１変形例の検査システムおよび内視鏡システムのいずれにおいても、黒点特性値情報取得部１３１ｂは、当該内視鏡１０２における光学特性および光源特性に対応した光源条件および光学条件に係る「個別の黒点特性値情報」を取得することができる
これに対して第２変形例の検査システムおよび内視鏡システムは、第１変形例の如く、内視鏡１０２のＩＤメモリ１２に、「すべての黒点特性値情報」（撮像素子１１に紐づけられたすべてのテーブル情報）が転送されている一方で、その「すべての黒点特性値情報」の中に当該内視鏡１０２における光学特性および光源特性に対応した光源条件および光学条件に係る「個別の黒点特性値情報」が含まれていない場合においても、所定の黒点補正を行うことを特徴とする。【０１１６】
すなわち、第２変形例の検査システムおよび内視鏡システムは、ビデオプロセッサ１０３における黒点特性値情報取得部１３１ｂにおいて、内視鏡１０２のＩＤメモリ１２に記憶した「すべての黒点特性値情報」から、当該内視鏡１０２における光学特性および光源特性に対応した光源条件および／または光学条件に近似した黒点特性値を２つ以上取得する。【０１１７】
その後、黒点特性補正部１３２ａは、黒点特性値情報取得部１３１ｂにおいて取得した前記２つ以上の近似された黒点特性値情報から所定の黒点特性値を推定する。さらに、黒点特性補正部１３２ａは、当該推定した黒点特性値を用いて、撮像素子１１からの撮像信号（画像信号）に係る黒点特性を補正する。【０１１８】
以上説明したように、本第２変形例の検査システムおよび内視鏡システムによると、黒点特性値情報取得部１３１ｂにおいて、当該内視鏡１０２における光学特性および光源特性に対応した光源条件および光学条件に係る「個別の黒点特性値情報」を取得することができない場合であっても、第１の実施形態と同様に、撮像素子自体の製造時における検査のみの情報で、当該撮像素子が製品に搭載され使用する際における黒点特性補正を精度よく行い得るための検査システムおよび内視鏡システムを提供することができる。【０１１９】
＜第２の実施形態＞
次に、本発明の第２の実施形態について説明する。【０１２０】
図９は、本発明の第２の実施形態の検査システムにおいて記憶した黒点特性値情報を、被検査対象である撮像素子を搭載した内視鏡およびサーバに転送する様子を示したブロック図であり、図１０は、第２の実施形態の検査システムの被検査対象である撮像素子を搭載する内視鏡を使用する際の第２の内視鏡システムの主要構成を示したブロック図である。【０１２１】
本第２の実施形態の検査システムおよび内視鏡システムは、その基本的な構成は第１の実施形態と同様であり、検査システムにおける記憶部に記憶した黒点特性値情報の転送先が異なり、かつ、内視鏡システムにいて当該黒点特性値情報の入手経路が異なるのみである。したがって、ここでは第１の実施形態との差異のみの説明にとどめ、共通する部分の説明については省略する。【０１２２】
図９に示すように、本第２の実施形態においても、記憶装置６は、黒点特性値算出部３１において算出された前記黒点特性値に係る情報等を記憶する記憶部６１を有する。そして、前記記憶部６１は、前記黒点特性値算出部３１により算出された黒点特性値情報を、前記各条件と前記黒点特性値とを対応付けたテーブル情報として記憶するようになっている。【０１２３】
すなわち、本第２の実施形態においても、前記記憶部６１は、撮像素子１１に紐づけれた前記各条件と前記黒点特性値とを対応付けたテーブル情報（黒点特性値情報）を記憶する。【０１２４】
＜第２実施形態における黒点特性値情報の転送＞
本第２の実施形態の検査システムでは、記憶部６１に記憶された前記黒点特性値情報は、所定のネットワークを経由して外部のサーバ１０６に転送されるようになっている。すなわち、本第２の実施形態においては、撮像素子１１に紐づけられた「すべての黒点特性値情報」の全部または一部が記憶装置６の記憶部６１からサーバ１０６に転送されるようになっている。【０１２５】
なお、本第２の実施形態においては、検査システム１における記憶部６１からサーバ１０６に対しては、一被検査対象である撮像素子１１に係る黒点特性値情報のみを転送するものとしたが、サーバ１０６には、他の被検査対象である他の撮像素子に係る黒点特性値情報についても格納可能となっている。【０１２６】
この他の撮像素子に係る黒点特性値情報は、当該検査システム１から送信されるものであってもよいし、他の検査システムから送信されるものであってもよい。【０１２７】
一方、内視鏡１０２におけるＩＤメモリ１２には、当該内視鏡１０２の識別情報（例えば、光学系１３に係る光学特性情報、照明部１４から照射する照明光に係る光源特性情報、および、撮像素子１１自体の個別情報等）が記憶される。【０１２８】
なお、記憶装置６の記憶部６１から前記サーバ１０６に対して上述したように黒点特性値情報を転送する際に、並行して、当該黒点特性値情報（または、個別黒点特性値情報）を内視鏡１０２におけるＩＤメモリ１２に転送しても良い。【０１２９】
＜第２の実施形態の内視鏡システムについて＞
次に、上述した第２の実施形態に係る検査システムによって算出された情報を用いて黒点特性補正を行う第２の実施形態に係る内視鏡システム２０１について説明する。【０１３０】
図１０は、第２の実施形態の検査システムの被検査対象である撮像素子を搭載する内視鏡を使用する際の第２の内視鏡システムの主要構成を示したブロック図である。【０１３１】
当該第２の内視鏡システム２０１は、第１の実施形態と同様に、被検体を観察し撮像する内視鏡１０２と、当該内視鏡１０２に接続され前記撮像信号を入力し所定の画像処理を施す画像処理装置であるビデオプロセッサ１０３と、被検体を照明するための照明光を供給する光源装置１０４と、撮像信号に応じた観察画像を表示するモニタ装置１０５と、を有する共に、前記サーバ１０６を有している。【０１３２】
また、図１０に示すように、本第２の実施形態においてビデオプロセッサ１０３は、諸回路を制御すると共に、識別情報取得部１３１ａおよび黒点特性値情報取得部１３１ｂを含む制御部１３１を備える。また、制御部１３１は、所定のネットワークを介して前記サーバ１０６と接続されている。【０１３３】
第２の内視鏡システム２０１において識別情報取得部１３１ａは、前記内視鏡１０２の識別情報（例えば、光学系１３に係る光学特性情報、照明部１４から照射する照明光に係る光源特性情報、および、撮像素子１１自体の個別情報等）を取得する。【０１３４】
一方、第２の内視鏡システム２０１において黒点特性値情報取得部１３１ｂは、所定のネットワークを介して前記サーバ１０６を接続され、当該サーバ１０６に記憶されている「すべての黒点特性値情報」の全部または一部を読み出し可能となっている。【０１３５】
すなわち、本第２の実施形態において黒点特性値情報取得部１３１ｂは、当該撮像素子１１に紐づけられた黒点特性値情報（すなわち、前記複数の光源条件および前記複数の光学条件に係る各条件と黒点特性値とを対応付けたテーブル情報）の全部、または、一部を読み出し可能となっている。【０１３６】
そして黒点特性値情報取得部１３１ｂは、ビデオプロセッサ１０３に前記内視鏡１０２が接続された際に、前記識別情報取得部１３１ａによって取得した内視鏡１０２に係る「識別情報」に対応する「個別黒点特性値情報」をサーバ１０６から読み出すようになっている。【０１３７】
＜第２の実施形態における内視鏡システム２０１の作用＞
このような構成をなす第２の内視鏡システム２０１における黒点特性補正工程について簡単に説明する。【０１３８】
ビデオプロセッサ１０３における識別情報取得部１３１ａは、内視鏡１０２が接続されると、当該内視鏡１０２内に配設されたＩＤメモリ１２から当該内視鏡１０２に係る前記「識別情報」を取得する。【０１３９】
このとき、識別情報取得部１３１ａは、光学系１３に係る光学特性情報（レンズ特性情報）を取得すると共に、照明部１４から照射する照明光に係る光源特性情報（光原色情報）を取得する。また、識別情報取得部１３１ａは、さらに撮像素子１１自体の識別情報も取得する。【０１４０】
次に、ビデオプロセッサ１０３における黒点特性値情報取得部１３１ｂは、所定のネットワークを経由してサーバ１０６と接続し、撮像素子１１に紐づけられた黒点特性値情報（すなわち、前記複数の光源条件および前記複数の光学条件に係る各条件と黒点特性値とを対応付けたテーブル情報）のうち、識別情報取得部１３１ａによる前記「識別情報」に応じて、内視鏡１０２における光学特性および光源特性に対応した光源条件および光学条件に係る個別の黒点特性値情報（補正用特性値情報）を読み出し、黒点特性を算出する。【０１４１】
この後、ビデオプロセッサ１０３の画像処理部１３２に、撮像素子１１からの撮像信号（画像信号）が入力すると、第１の実施形態と同様に、黒点特性補正部１３２ａは、黒点特性値情報取得部１３１ｂにおいて算出された黒点特性に基づいて、当該撮像信号をＲ分光、Ｇ分光、Ｂ分光それぞれに対応したフレーム毎に補正する。【０１４２】
以上説明したように、本第２の実施形態の検査システム１および内視鏡システム２０１では、検査システム１において検査され取得された、撮像素子１１に係る「黒点特性値情報」の全部または一部を外部のサーバ１０６に格納するようにした。【０１４３】
これにより本第２の実施形態は、上述した第１の実施形態においては必須の工程であった、内視鏡１０２の製造時等における内視鏡１０２（のＩＤメモリ１２）への黒点特性値情報の転送工程を省くことができ、本発明の作用効果をより広範囲な内視鏡システムにおいて実現することができる。【０１４４】
なお、上記各実施形態（変形例）においては、面順次光源による観察方式を採用するものとしたが、これに限らず、ＬＥＤ光源等によるＰＷＭ制御を行う例、または特殊光観察としての狭帯域光観察（NBI：Narrow Band Imaging）、赤外光観察（IRI：InfraRed Imaging）もしくは蛍光観察（AFI：Auto Fluorescence Imaging）等の観察方式を採用する例にも適用できる。【０１４５】
図１１は、特殊光方式対応撮像素子の黒点特性値算出に係るパラメータの一例を示した図であり、図１２は、ベイヤー方式の撮像素子の黒点特性値算出に係るパラメータの一例を示した図である。【０１４６】
例えば、内視鏡システムとして特殊光観察方式としての狭帯域光観察方式を適用する場合、前記光源条件として、第１の実施形態における面順次方式に代えて、図１１に示すように、それぞれ狭帯域光であるＧ’分光とＢ’分光を適用することができる。【０１４７】
または、内視鏡システムとしてベイヤー方式の撮像素子を採用する内視鏡を擁し、かつ、通常光（白色光）と特殊光（ＮＢＩ光）による同時式観察方式を適用する場合、前記光源条件として、第１の実施形態における面順次方式に代えて、図１２に示すように、通常光（白色光による分光（Ｗ分光））と特殊光（ＮＢＩ分光）を適用することができる。【０１４８】
本発明は、上述した実施形態に限定されるものではなく、本発明の要旨を変えない範囲において、種々の変更、改変等が可能である。【０１４９】
本出願は、２０１６年４月２２日に日本国に出願された特願２０１６−８６４２０号を優先権主張の基礎として出願するものであり、上記の開示内容は、本願明細書、請求の範囲に引用されるものとする。
【図１】
2017183392.tif 000003
【図２】
2017183392.tif 000004
【図３】
2017183392.tif 000005
【図４】
2017183392.tif 000006
【図５】
2017183392.tif 000007
【図６】
2017183392.tif 000008
【図７】
2017183392.tif 000009
【図８】
2017183392.tif 000010
【図９】
2017183392.tif 000011
【図１０】
2017183392.tif 000012
【図１１】
2017183392.tif 000013
【図１２】
2017183392.tif 000014
【国際調査報告】
2017183392.tif 000015
2017183392.tif 000016
2017183392.tif 000017
2017183392.tif 000018